(57)【要約】【課題】  支柱に補助支柱を連結できるようにし、これに対応してバックパネルを高い位置に設定することのできる陳列装置を提供すること。【解決手段】  左右一対の支柱１１間にバックパネル１２を配置して陳列装置１０が構成されている。この陳列装置１０は、支柱１１の上部に補助支柱３０が連結できるようになっており、この補助支柱３０の高さに応じてバックパネル１２を上昇させて高さ位置調整が可能となっている。【選択図】          図７
2006346204.tif 000002
【特許請求の範囲】
【請求項１】
左右一対の支柱と、当該支柱間に配置されるバックパネルとを備えた陳列装置において、
前記支柱の上部に補助支柱を連結可能に設けるとともに、当該補助支柱の高さに応じて前記バックパネルの高さ位置が調整可能に設けられていることを特徴とする陳列装置。
【請求項２】
前記バックパネルの左右両側と補助支柱に、相互に係り合い可能な連結部がそれぞれ設けられていることを特徴とする請求項１記載の陳列装置。
【請求項３】
前記支柱及び補助支柱は、前記バックパネルの上下方向移動を案内するガイドを含んで構成されていることを特徴とする請求項１又は２記載の陳列装置。
【請求項４】
前記支柱の下部間には、前記バックパネルの下部領域を隠蔽する幕板が配置されていることを特徴とする請求項１，２又は３記載の陳列装置。
【請求項５】
前記支柱の下部間には、前記バックパネルの上下移動を許容する空間を備えた幕板が配置されていることを特徴とする請求項１，２，３又は４記載の陳列装置。
【発明の詳細な説明】
【技術分野】
【０００１】
本発明は陳列装置に係り、更に詳しくは、支柱の上端部に補助支柱を連結するとともに、バックパネルの高さ位置を補助支柱に対応させて調整することのできる陳列装置に関する。
【背景技術】
【０００２】
公知の陳列装置としては、左右一対の支柱と、これら支柱間に支持されたバックパネルと、支柱のスロット穴を利用して取り付けられるブラケットに支持される棚板とを備えた構成が知られている。
【０００３】
前記陳列装置において、バックパネルを高くする場合には、支柱とバックパネルの上部に、延長用の補助支柱と延長用のバックパネルを継ぎ足す方法が採用されている。この継ぎ足しは、補助支柱とバックパネルとを一体構造とした状態で継ぎ足したり、それぞれ別体に設けられた補助支柱とバックパネルを別々に継ぎ足すことによって行われている。また、他の方法としては、補助支柱を継ぎ足す一方、上下寸法の大きいバックパネルに交換して支柱の高さに合わせる、という方法も採用されている。
【０００４】
しかしながら、別途のバックパネルを継ぎ足す構成とした場合には、上下に二つのバックパネルが存在することになり、これらバックパネル間に継ぎ目ができてしまうものとなる。特に、バックパネルが、フレーム枠の内側領域に線材を縦横に配してメッシュ状にした構成である場合には、横方向に延びるフレーム枠が上下二段に重なり合う継ぎ目領域を形成してしまうので、メッシュを利用した陳列効率を低下させてしまう、という不都合を招来する。また、バックパネルを交換する場合には、交換するまで利用されていたバックパネルが不要になってしまう、という不都合がある。
【０００５】
ところで、特許文献１には、バックパネルを高さ方向に調整できるようにした陳列装置が記載されている。
【０００６】
【特許文献１】実開昭５８−１２１２６９号公報
【発明の開示】
【発明が解決しようとする課題】
【０００７】
特許文献１に記載された陳列装置は、フレーム枠と、当該フレーム枠の内側に配された線材からなるメッシュとにより構成されたバックパネルと、このバックパネルを支持する左右一対の支柱とを備えて構成されている。
しかしながら、特許文献１の陳列装置は、フレーム枠を構成する左右の枠体内に支柱が挿入される構成であるため、バックパネルを高い位置に設定するに従って、当該バックパネルの支持強度が低下してしまう、という不都合がある。
また、バックパネルを高さ調整した際に、支柱の外側面からボルトを締め付けることによって高さ位置を固定する構成であるため、バックパネルの左右高さ位置を正確に一致させることが困難になるという不都合がある。しかも、このような固定方法では、ボルトの締め付け具合如何によって以後のバックパネルの高さ調整自体を行えなくしてしまう、という不都合もある。
【０００８】
［発明の目的］
本発明は、このような不都合に着目して案出されたものであり、支柱に補助支柱を連結できるようにし、これに対応してバックパネルを高い位置に設定することのできる陳列装置を提供することにある。
【課題を解決するための手段】
【０００９】
前記目的を達成するため、本発明は、左右一対の支柱と、当該支柱間に配置されるバックパネルとを備えた陳列装置において、
前記支柱の上部に補助支柱を連結可能に設けるとともに、当該補助支柱の高さに応じて前記バックパネルの高さ位置が調整可能に設けられる、という構成を採っている。
【００１０】
本発明において、前記バックパネルの左右両側と補助支柱に、相互に係り合い可能な連結部がそれぞれ設けられる、という構成を採ることが好ましい。
【００１１】
また、前記支柱及び補助支柱は、前記バックパネルの上下方向移動を案内するガイドを含む構成を採ることができる。
【００１２】
更に、前記支柱の下部間に、前記バックパネルの下部領域を隠蔽する幕板を配置する構成の他、バックパネルの上下移動を許容する空間を備えた幕板を配置する構成を採ることが望ましい。
【００１３】
なお、本明細書において、「バックパネル」とは、陳列装置の背部側若しくは後部側を構成する部材であって、板状体によって構成されたものの他、多数本の線材又は軸材を縦横に配置してメッシュ状に形成したものも含む概念として用いられる。
【発明の効果】
【００１４】
本発明によれば、補助支柱が連結された支柱の高さに応じてバックパネルの高さ位置が調整可能であるから、バックパネルを継ぎ足した場合に見られるような継ぎ目を外観上に表出させることはない。また、別途のバックパネルに交換することもなく、バックパネルを複数準備する必要性を無くすことができる。
【００１５】
また、バックパネルは、その左右両側が補助支柱に係り合って支持される構成となるため、バックパネルと補助支柱とを相互に係り合わせる作業を容易に行うことが可能となる。しかも、この構成では、支柱間にバックパネルが吊り下げて支持される形態となるため、支柱とバックパネルをボルト等で締め付け固定した場合に見られるパネル水平精度のばらつき等も回避することができる。
【００１６】
更に、支柱及び補助支柱がガイドを含む構成としたことにより、バックパネルを高さ調整すべく上下にスライドさせるときの案内路が形成されることになる。従って、バックパネルをスライドさせる際の作業に伴って当該パネルが前後にぶらついてしまうようなことはなく、単独作業にてバックパネルの高さ調整を行うことが可能となる。
【００１７】
また、前記支柱の下部間に幕板を配置した構成により、バックパネルの下部が幕板内に位置する範囲でバックパネルの高さ調整を行うことで、バックパネルと幕板との間に隙間が生じてしまうようなことも回避することができる。なお、幕板は、バックパネルを上下にスライドさせる際の、当該バックパネルのガイドとしての機能も奏する。
【発明を実施するための最良の形態】
【００１８】
以下、本発明の好ましい実施形態を図面を参照しながら説明する。
【００１９】
図１には、本実施形態に係る陳列装置の概略斜視図が示され、図２には、その正面図が示されている。これらの図において、陳列装置１０は、左右一対の支柱１１，１１と、これら支柱１１間に支持されたバックパネル１２と、支柱１１の下部間に配置された幕板１３とを備えて構成されている。
【００２０】
支柱１１は、床面上に配置されるベース１５に溶接等の手段を介して固定されている。この支柱１１は、図３ないし図５にも示されるように、横断面形状が略長方形の外形をなす角柱材により構成され、その前後各端面には、図示しない棚板を支持するためのブラケット装着用のスロット穴１６が、上下方向に沿って所定間隔毎に形成されている。また、左右の支柱１１，１１の相対する側面には、バックパネル１２の上下方向移動に際して当該バックパネル１２の案内路となるガイド１８が設けられている。このガイド１８は、支柱１１の上端部より若干低い位置から、幕板１３の上端に達する位置まで延び、その横断面形状は、図５に示されるように、略コ字状若しくは略Ｕ字状に設けられ、これにより、バックパネル１２の前後方向へのぶらつきを防止するようになっている。本実施形態において、ガイド１８は、溶接等の手段を介して支柱１１に固定されているが、支柱１１の内側面とガイド１８とを相互に係り合わせる構造を採用し、ガイド１８が支柱１１に対して着脱可能となる構成としてもよい。なお、支柱１１，１１の上端部側面には、連結部を構成する二列の切り込み部２０が支柱１１の上端からガイド１８の上端までの間に形成されている。
【００２１】
前記バックパネル１２は、略方形のフレーム枠２２と、このフレーム枠２２内で縦横方向に配設されてメッシュを形成する多数本の線材２３とにより構成されている。フレーム枠２２は、上部横行桟２２Ａと、下部横行桟２２Ｂと、これら上下の横行桟２２Ａ、２２Ｂの端部間に位置する左右の縦連結桟２２Ｃ、２２Ｄとにより構成され、上部横行桟２２Ａの両端部、すなわちバックパネルの左右上端部には支柱１１の上端部に形成された切り込み部２０に係り合う連結部としてのフック２４が一体に設けられている。このバックパネル１２は、フック２４を切り込み部２０に係り合わせた状態で、左右の連結桟２２Ｃ、２２Ｄがガイド１８内に位置するとともに、下部横行桟２２Ｂ側の一定領域が幕板１３内に位置するようになっている。
【００２２】
前記幕板１３は前後一対となる前板部材１３Ａ及び後板部材１３Ｂにより構成され、これら板部材１３Ａ、１３Ｂ間にバックパネル１２の下部側領域を受け入れるように構成されている。すなわち、前板部材１３Ａ及び後板部材１３Ｂは、バックパネル１２の上下移動を許容する隙間を隔てて配置されており、それらの左右両端部が支柱１１の内側面に溶接等の手段によって固定されている。
【００２３】
図６に示されるように、陳列装置１０は、支柱１１の上端部に延長用の補助支柱３０が連結可能に設けられており、これに対応してバックパネル１２を上方に移動させて高さ調整できるように構成されている。補助支柱３０は、支柱１１を実質的に上方に延長する形状を備えており、図７及び図８に示されるように、内部には、下端側に突出する連結片３１が固定されている。この連結片３１は、支柱１１の上部内に差し込まれたときに、補助支柱３０と支柱１１とをガタ無く連結して一体化させものであり、これにより、補助支柱３０が支柱１１の上端部に安定して位置するように保たれる。なお、補助支柱３０の上端部側面には、支柱１１に形成された切り込み部２０と同一の補助切り込み部３３が形成され、この補助切り込み部３３にバックパネル１２のフック２４が引っ掛けられるようになっている。なお、補助支柱３０の側面には、支柱１１に設けられたガイド１８と同一鉛直線上に位置する補助ガイド３５が形成されている。
【００２４】
次に本実施形態におけるバックパネル１２の高さ調整方法について説明する。
【００２５】
バックパネル１２を掴んで上方に持ち上げることにより、図８に示されるように、フック２４が切り込み部２０から外れ、ガイド１３により前後にぶらつくことなく上方へのスライド移動が案内される。
補助支柱３０の長さ以上となるようにバックパネル１２を持ち上げた状態で、補助支柱３０，３０を支柱１１，１１の上端部にそれぞれ連結する。
この連結を完了した後に、バックパネル１２の持ち上げ力を解除して少しずつ降ろしてフック２４を補助支柱３０の切り込み部３３に引っ掛けることで、バックパネル１２の高さ調整を完了することができる。
バックパネル１２を補助支柱３０に係り合わせることにより、補助支柱３０は、支柱１１に対して連結力を常に付与する状態に保たれ、補助支柱３０の連結姿勢が安定化することとなる。
【００２６】
バックパネル１２の高さを上昇させた状態において、当該バックパネル１２の下部領域、すなわち下部横行桟２２Ｂ側の一定領域は、幕板１３を構成する前板部材１３Ａ及び後板部材１３Ｂ間に位置するようになっており、従って、幕板１３とバックパネル１２とが上下方向において一体に連なった外観を維持でき、バックパネル１２を上昇させる前の状態と同一に表出させることができる。
【００２７】
従って、このような実施形態によれば、補助支柱３０を支柱１１に連結することを前提として、バックパネル１２を上昇させて高さ調整を行うことが可能な陳列装置１０を提供することができる。
【００２８】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置、などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２９】
例えば、前記実施形態では、バックパネル１２がメッシュ状に構成された場合を図示、説明したが、一枚の板状体によってバックパネルを形成することも可能である。
また、本発明は、左右に複数のバックパネル１２が並ぶように増設することも可能である。
更に、幕板１３は、陳列装置１０の直後に壁面等に位置するように配置される場合には、幕板１３は前面側があれば足りる。
【００３０】
また、前記実施形態では、バックパネル１２を支柱１１又は補助支柱３０の切り込み部２０又は３３に引っ掛けて支持される構成を図示、説明したが、ガイド１８にバックパネル１２を引っ掛け可能に設けて当該バックパネル１２を支持するようにしてもよい。また、バックパネル１２のフック２４は別体の金具により構成することもできる。
【図面の簡単な説明】
【００３１】
【図１】陳列装置の概略斜視図。
【図２】陳列装置の正面図。
【図３】陳列装置の平面図。
【図４】図２のＡ−Ａ線矢視断面図。
【図５】図２のＢ−Ｂ線矢視断面図。
【図６】補助支柱を連結してバックパネルを上昇させた状態を示す陳列装置の正面図。
【図７】図６の一部分解正面図。
【図８】図６の一部分解斜視図。
【符号の説明】
【００３２】
１０  陳列装置
１１  支柱
１２  幕板
１８  ガイド
２０  切り込み部（連結部）
２３  線材
２４  フック（連結部）
３０  補助支柱
３３  切り込み部（連結部）
３５  ガイド
【図１】
2006346204.tif 000003
【図２】
2006346204.tif 000004
【図３】
2006346204.tif 000005
【図４】
2006346204.tif 000006
【図５】
2006346204.tif 000007
【図６】
2006346204.tif 000008
【図７】
2006346204.tif 000009
【図８】
2006346204.tif 000010